(57)【要約】      （修正有）【課題】牽制アームの不正開放操作によるドアガードの無効化を阻止し、衝撃で牽制アームが掛止ピンと係合して使用者が室外へ締め出されるのを防止する。ドア閉じ状態において補助錠として機能できるドアガードを提供する。【解決手段】ドア１の面壁に沿う全開位置と、全開位置から起立する半開位置と、全開位置から反転する錠止位置とに姿勢変更可能とする。衝撃などによる牽制アーム１１の起立揺動を規制して、意に反した掛止ピン１２との係合を防ぐ。アームロック機構をラチェット機構で構成して、半開位置において牽制アーム１１、およびロック解除用の操作体４０が不正に開放操作されるのを阻止する。牽制アーム１１の係脱部２３の背面に規制壁２４を設け、錠止位置において掛止ピン１１が係脱部２３から出入りするのを規制壁２４で規制して、ドア１の開放を規制する補助錠として機能できるようにする。【選択図】図１
2006125078.tif 000002
【特許請求の範囲】
【請求項１】
ドア（１）側に固定されるアームブラケット（１０）および牽制アーム（１１）と、ドア枠（２）側に設けられる掛止ピン（１２）と、アームブラケット（１０）と牽制アーム（１１）との間に設けられて、牽制アーム（１１）を少なくとも半開位置と錠止位置において位置保持するアームロック機構を含み、
牽制アーム（１１）は、その基端がアームブラケット（１０）に装着したアーム軸（２５）で上下揺動自在に支持されて、牽制アーム（１１）がアーム軸（２５）で吊持される全開位置と、全開位置から起立揺動操作されて掛止ピン（１２）と係合できる半開位置と、全開位置から反転操作された錠止位置とに揺動変位でき、
牽制アーム（１１）には、掛止ピン（１２）と相対スライドするスライド溝（２１）と、スライド溝（２１）の基端開口に臨んで設けられる掛止ピン（１２）用の係脱部（２３）と、係脱部（２３）の一側に設けられて、掛止ピン（１２）と接当してドア（１）の開放を阻止する規制壁（２４）とが設けられており、
牽制アーム（１１）を錠止位置に保持した状態において、規制壁（２４）が掛止ピン（１２）より屋内側に位置しているドアガード。
【請求項２】
アームロック機構が、牽制アーム（１１）に同行してアーム軸（２５）の回りに回動するラチェット体（３０）と、ラチェット体（３０）と係合して牽制アーム（１１）の復帰回動を阻止するロックブロック（３１）と、ロックブロック（３１）をラチェット体（３０）へ向かって係合付勢するロックばね（３２）とを含み、
アームブラケット（１０）の外面に、ロックブロック（３１）をロックばね（３２）の付勢力に抗してロック解除操作する操作体（４０）が設けてある請求項１記載のドアガード。
【請求項３】
牽制アーム（１１）が、ラチェット体（３０）の一側に設けた連結ボス（３７）でアームピン（２６）を介して左右傾動可能に軸支されており、
ドア（１）の開閉軌跡の左右成分の変化を、牽制アーム（１１）の左右傾動動作で吸収できる請求項１または２記載のドアガード。
【請求項４】
牽制アーム（１１）が、プラスチック成形されるＵ字枠状の化粧枠（１１Ａ）と、化粧枠（１１Ａ）の対向枠面に設けた装填溝（５１）に差し込み装填されて、化粧枠（１１Ａ）を補強する金属プレス成形品からなる構造枠（１１Ｂ）とで構成してある請求項１〜３のいずれかに記載のドアガード。
【発明の詳細な説明】
【技術分野】
【０００１】
本発明は、ドアが半開位置を越えて開放操作されるのを規制するドアガードに関する。
【背景技術】
【０００２】
牽制アームを水平軸の回りに上下揺動可能に支持する形態のドアガードは、例えば特許文献１に公知である。そこでは、ドア枠に側に設けた掛止ピンを全開姿勢と横倒し操作される半開姿勢とに切り換えて、ドアを全開し、あるいは牽制アームで半開位置に開放規制できるようにしている。さらに、室外からの不正操作、たとえば紐による牽制アームの不正操作を防止するために、牽制アームと掛止ピンとを分離するときの掛止ピンの操作を複雑化している。
【０００３】
具体的には、掛止ピンの基端にボスと、掛止ピンをボス中心回りに回動操作する切換レバーとが一体に設けてあり、半開姿勢においてボス部分をピン台に凹凸係合させて、掛止ピンを回動不能にロック保持できるようになっている。切換レバーをロックばねに逆らって抜き出し（第１動作）、その状態のまま切換レバーをレバー軸の回りに回動操作（第２動作）すると、掛止ピンを全開姿勢に戻して、ドアを全開操作できる。このように、第１動作と第２動作を経た後でないと、掛止ピンを全開状態に戻せないようにして、室外からの不正操作を困難化している。
【０００４】
本発明のドアガードは補助錠の機能を発揮するが、同趣旨のドアガードは特許文献２に公知である。そこでは、掛止ピンを錠止姿勢に切り換えると、掛止ピンの軸部が牽制アームのスライド溝内へ入り込めないので、ドアガードをドアの開放を阻止する補助錠として機能させることができる。なお、このドアガードは、牽制アームが垂直軸の回りに水平揺動可能に支持してある点で、本発明のドアガードと基本構造が異なっている。
【０００５】
【特許文献１】特許第３４３９６６４号公報（段落番号００２５、図１）
【特許文献２】特開２００４−１９１３５号公報（段落番号００３４、図１）
【発明の開示】
【発明が解決しようとする課題】
【０００６】
一般的なドアガードの牽制アームは、ドアを閉じた状態でのみ、掛止ピンと係合する半開位置からドアの表面に沿う全開位置に戻すことができ、その限りでは、牽制アームを外部から不正に操作することはできないはずである。しかし、一般的なドアガードであれば、紐などを使用して牽制アームを外部から簡単に全開位置に戻すことができる。
【０００７】
この点特許文献１のドアガードは、掛止ピンの姿勢を切り換えるのに、第１動作と第２動作とが必要であるため、紐などによる牽制アームの不正操作を確実に防止できる。しかし、ドアガードが半開状態にある時と、全開状態にある時とでは、掛止ピンの姿勢が異なるだけであるので、ドアガードの現在の状態を間違いやすく、とくに、薄暗い場合に勘違いしやすい。
【０００８】
特許文献２のドアガードは、掛止ピンの姿勢を全開位置に切り換えることで、補助錠として機能させることができ、その状態をクリック機構によって維持できる。また、乱暴に閉じ操作されたドアがドア枠に衝突するような場合に、意に反して牽制アームが掛止ピン側へ倒れ込んだとしても、使用者が室外へ締め出されることはない。全開姿勢に切り換えられた状態の掛止ピンに牽制アームを交差させたうえで、掛止ピンを半開姿勢に切り換え操作してからでないと、牽制アームの案内溝と掛止ピンとを相対移動できないからである。
【０００９】
しかし、掛止ピンが全開姿勢と半開姿勢との中間位置に位置している状態では、牽制アームが掛止ピンと交差でき、さらに、ドアを開放操作することで掛止ピンの姿勢がスライド溝の溝周壁で強制的に半開姿勢に切り換えられるので、稀にではあっても、使用者が室外へ締め出されるおそれがある。
【００１０】
本発明の目的は、必要時には補助錠として機能できるうえ、牽制アームが不正に操作されてドアガードの開放規制機能が無効化されるのを確実に防止でき、全体として防犯機能に優れたドアガードを提供することにある。本発明の目的は、ドア開閉時の振動や衝撃で牽制アームが掛止ピンと係合し、使用者が意に反して室外へ締め出されるのを確実に防止できるドアガードを提供することにある。
【課題を解決するための手段】
【００１１】
本発明のドアガードは、ドア１側に固定されるアームブラケット１０および牽制アーム１１と、ドア枠２側に設けられる掛止ピン１２と、アームブラケット１０と牽制アーム１１との間に設けられて、牽制アーム１１を少なくとも半開位置と錠止位置において位置保持するアームロック機構を含む。牽制アーム１１は、その基端がアームブラケット１０に装着したアーム軸２５で上下揺動自在に支持されて、牽制アーム１１がアーム軸２５で吊持される全開位置と、全開位置から起立揺動操作されて掛止ピン１２と係合できる半開位置と、全開位置から反転操作された錠止位置とに揺動変位できる。牽制アーム１１には、掛止ピン１２と相対スライドするスライド溝２１と、スライド溝２１の基端開口に臨んで設けられる掛止ピン１２用の係脱部２３と、係脱部２３の一側に設けられて、掛止ピン１２と接当してドア１の開放を阻止する規制壁２４とを設ける。牽制アーム１１を錠止位置に保持した状態において、規制壁２４を掛止ピン１２より屋内側に位置させる。
【００１２】
アームロック機構は、牽制アーム１１に同行してアーム軸２５の回りに回動するラチェット体３０と、ラチェット体３０と係合して牽制アーム１１の復帰回動を阻止するロックブロック３１と、ロックブロック３１をラチェット体３０へ向かって係合付勢するロックばね３２とを含む。アームブラケット１０の外面に、ロックブロック３１をロックばね３２の付勢力に抗してロック解除操作する操作体４０を設ける。
【００１３】
牽制アーム１１を、ラチェット体３０の一側に設けた連結ボス３７でアームピン２６を介して左右傾動可能に軸支する。以て、ドア１の開閉軌跡の左右成分の変化を、牽制アーム１１の左右傾動動作で吸収できるようにする。
【００１４】
牽制アーム１１を、プラスチック成形されるＵ字枠状の化粧枠１１Ａと、化粧枠１１Ａの対向枠面に設けた装填溝５１に差し込み装填されて、化粧枠１１Ａを補強する金属プレス成形品からなる構造枠１１Ｂとで構成する。
【発明の効果】
【００１５】
本発明では、アームブラケット１０、牽制アーム１１、掛止ピン１２と、アームロック機構などでドアガードを構成し、牽制アーム１１をアーム軸２５の回りに上下揺動自在に支持することにより、牽制アーム１１を全開位置と、半開位置と、錠止位置とに姿勢変更できるようにした。そのうえで、牽制アーム１１に掛止ピン１２用の係脱部２３を設け、その背面側に掛止ピン１２の出入りを規制する規制壁２４を設けることにより、牽制アーム１１を錠止位置に位置保持した状態において、掛止ピン１２の出入りを規制壁２４で規制できるようにした。したがって、本発明のドアガードによれば、ドア１が半開位置を越えて開放操作されるのを規制できるのはもちろん、牽制アーム１１を錠止位置へ起立操作するだけで、ドアガードを補助錠として機能させることができる。
【００１６】
ドアガードを全開状態にした状態では、牽制アーム１１がアーム軸２５で吊持されており、ドアガードを半開状態にした時は、牽制アーム１１がアーム軸２５の回りに起立しているので、各状態における牽制アーム１１の姿勢の違いを明確化でき、したがって、勘違いや見間違いなどによる操作ミスを解消してドアガードの防犯機能を向上できる。また、錠止位置においては、牽制アーム１１が全開位置から反転した姿勢になるので、ドアガードを補助錠として使用するときの状態の変化を明確化し、操作ミスを一掃できる利点もある。
【００１７】
牽制アーム１１を上下揺動可能に軸支し、全開位置において牽制アーム１１がアーム軸２５で吊持されるようにするので、乱暴に閉じ操作されたドア１がドア枠２に衝突するような場合に、牽制アーム１１が起立方向へ揺動したとしても、直ちに牽制アーム１１が掛止ピン１２と係合することはなく、さらに自重で全開位置へ復帰揺動できるので、意に反して牽制アーム１１が掛止ピン１２と係合して、使用者が室外へ締め出されるのを良く防止できる。
【００１８】
ラチェット体３０と、ラチェット体３０および牽制アーム１１の復帰回動を阻止するロックブロック３１と、ロックばね３２などでアームロック機構を構成すると、牽制アーム１１が半開位置あるいは錠止位置から全開位置へ向かって復帰回動しようとするのを、ラチェット体３０およびロックブロック３１で機械的に阻止できる。このように、牽制アーム１１の復帰回動をアームロック機構で規制すると、ロックブロック３１が操作体４０でロック解除されていることと、ドア１が閉じ操作されて、牽制アーム１１のスライド溝２１と掛止ピン１２との係合が解除されていることとの、ふたつの条件を満足した状態でないと、ドアガードの開放規制機能を解除することができず、室外側から操作する限りこれらの２条件を同時に満たすことはできない。
【００１９】
したがって、本発明のドアガードによれば、牽制アーム１１や操作体４０が室外から不正に操作されてドアガードの開放規制機能が無効化されるのを確実に防止でき、必要時には補助錠として機能できる、全体として防犯機能に優れたドアガードを提供できる。ドア１が乱暴に閉じ操作されてドア枠２に衝突するような場合に、牽制アーム１１が起立方向へ揺動しようとするのを、ロックばね３２の付勢力によって阻止でき、これに牽制アーム１１の重力が加わって牽制アーム１１の起立揺動を抑止できるので、使用者が意に反して室外へ締め出されるのをさらに良く防止できる。
【００２０】
牽制アーム１１を、アーム軸２５の回りに上下揺動可能としたうえで、連結ボス３７でアームピン２６を介して左右傾動可能に軸支すると、ドア１の開閉軌跡の左右成分の変化を牽制アーム１１の左右傾動動作で吸収できるので、ドア開閉時に牽制アーム１１のスライド溝２１と掛止ピン１２とがこじれるのを防止して、ドア１の開放操作を円滑に行える。開閉軌跡の左右成分を吸収するために牽制アーム１１を部分円弧状に形成する場合に比べて、牽制アーム１１の外形形状を単純化できる利点もある。
【００２１】
プラスチック成形されるＵ字枠状の化粧枠１１Ａと、化粧枠１１Ａの対向枠面に設けた装填溝５１に差し込み装填される構造枠１１Ｂとで牽制アーム１１を構成すると、ダイキャスト成形された牽制アーム１１に比べて製造に要するコストを削減し、ドアガードの全体コストを減少できる。化粧枠１１Ａの色や模様が異なるドアガードを、安価に提供できる利点もある。
【発明を実施するための最良の形態】
【００２２】
（実施例）  図１ないし図８は本発明に係るドアガードの実施例を示す。図２において、符号１はドア、２はドア枠であり、ドア１の側端上下が一対のヒンジ３・４で揺動開閉自在に支持してある。符号５はドアハンドル、６はドア錠であり、ドア１とドア枠２との隣接部分に本発明に係るドアガードを配置する。
【００２３】
図３においてドアガードは、ドア１に固定されるアームブラケット１０と、アームブラケット１０で上下揺動自在に支持される牽制アーム１１と、アームブラケット１０と牽制アーム１１との間に設けられるアームロック機構と、ドア枠２側に設けられる掛止ピン１２と、掛止ピン１２を支持するピン台１３とからなる。アームブラケット１０は、平板状の座板１５と、座板１５の一側中央に膨出形成した軸受１６とを一体に備えたダイキャスト成形品からなり、座板１５の上下３箇所がビスでドア１に締結固定してある。軸受１６の下部には、後述するロックブロック３１を収容する区室１７が形成してある（図６参照）。
【００２４】
牽制アーム１１は、縦長Ｕ字状の係合アーム１９と、係合アーム１９の基端側に張り出し形成される連結部２０とを一体に備えたダイキャスト成形品からなり、係合アーム１９の長手方向内面に沿ってスライド溝２１が形成してある。スライド溝２１の周囲には、掛止ピン１２のピン頭部４５を受け入れる段部２２が凹み形成してある。段部２２は、係合アーム１９の左右両側にそれぞれ形成する。スライド溝２１の基端開口に臨んで、掛止ピン１２を出入りさせるための係脱部２３を設け、その背面側に掛止ピン１２の出入りを規制する規制壁２４を形成する。
【００２５】
牽制アーム１１は、軸受１６に装着したアーム軸２５で上下揺動自在に支持され、さらにアームピン２６で左右傾動可能に支持される。詳しくは図１に示すように、後述するラチェット体３０をアーム軸２５で回転自在に軸支し、ラチェット体３０と一体に設けた連結ボス３７に牽制アーム１１の連結部２０をアームピン２６で左右傾動可能に連結する。アームピン２６は、アーム軸２５と直交する状態で配置されて、連結部２０の対向壁と、これらの対向壁に挟まれる連結ボス３７とを前後に貫通している。
【００２６】
上記のように、アーム軸２５およびアームピン２６で牽制アーム１１を軸支することにより、牽制アーム１１はアーム全体がドア１の面壁に沿う全開位置（図１および図３に示す状態）と、全開位置から上方へ９０度起立揺動する半開位置（図４〜図６に示す状態）と、全開位置から反転操作された錠止位置（図８に示す状態）とに揺動変位でき、さらに、ドア１の開閉に応じてアームピン２６の回りの一定範囲に限って左右傾動できる。
【００２７】
牽制アーム１１を先の３位置においてそれぞれ位置保持するためにアームロック機構を設ける。図６においてアームロック機構は、牽制アーム１１に同行して回転するラチェット体３０と、ラチェット体３０と係合して、牽制アーム１１が錠止位置あるいは半開位置から全開位置へ向かって復帰回動するのを阻止するロックブロック３１と、ロックブロック３１をラチェット体３０へ向かって係合付勢するロックばね３２などで構成する。
【００２８】
ラチェット体３０は円形のブロックの周面に、平端なストッパー面３４と、部分円弧状のカム面３５とを交互に形成したダイキャスト成形品からなり、その全体が軸受１６に設けたラチェット穴３６に収容される。ラチェット体３０の側端面に、牽制アーム１１用の連結ボス３７が一体に形成されて、ラチェット穴３６の外方に突出している。これら両者３０・３７はアーム軸２５で回転自在に軸支されて、抜け外れ不能に保持固定してある。ストッパー面３４は位相位置がそれぞれ９０度ずれた個所に３個形成してあり、各ストッパー面３４の間に２個のカム面３５が形成してある。
【００２９】
ロックブロック３１は四角形のダイキャスト成形品からなり、その前面側に操作つまみ４０（操作体）が一定に形成してある。ロックブロック３１は、アームブロック１０の背面側から区室１７内に組み込まれ、区室１７の底壁とロックブロック３１との間に配置したロックばね３２で、ラチェット体３０へ向かって押し上げ付勢してある。符号４１は、区室１７の開口を塞ぐカバー、４２は操作つまみ４０を区室１７の外へ突出させるための開口である。
【００３０】
ラチェット体３０に接当係合するロックブロック３１の隅部分は丸めてあり、この隅部分に連続する前壁３１ａでストッパー面３４を受け止めることにより、ラチェット体３０の復帰回動を阻止できる。牽制アーム１１を起立操作するとき、隅部分に連続する上壁３１ｂはカム面３５で押し下げ操作され、カム面３５が隅部分を乗り越えるのと同時にロックブロック３１が復帰スライドして、前壁３１ａで次のストッパー面３４を受け止める。操作つまみ４０をロックばね３２の付勢力に抗して押し下げ操作すると、ロックブロック３１をラチェット体３０の回転領域から退避させてロック解除操作でき、この状態で牽制アーム１１を全開位置側へ倒し込み収納することができる。
【００３１】
掛止ピン１２は、丸軸からなるピン軸４４と、ピン軸４４の突端に張り出し形成される三角形状のピン頭部４５とを一体に備えており、図７に示すようにピン軸４４の中途部が斜めに折り曲げてある。ピン軸４４の基端は支軸４６で軸支してあり、図示していないロック体をロック解除操作した状態では、掛止ピン１２を図７に実線で示す使用姿勢と、想像線で示す不使用姿勢とに変位操作できる。先に説明したスライド溝２１の溝幅は、ピン軸４４の直径寸法より僅かに大きく設定する。
【００３２】
以下、ドアガードの使用法を説明する。常態における牽制アーム１１は、図１に示すようにアーム全体がドア１の面壁に沿う状態に倒伏してあり、ロックブロック３１はラチェット体３０のストッパー面３４およびカム面３５と接当して、牽制アーム１１を全開位置に位置保持している。このとき、掛止ピン１２のピン頭部４５は、牽制アーム１１の係脱部２３内に位置しているが、その前面側が開放されているので、ドア１を全開放操作できる。
【００３３】
上記の状態でドア１が乱暴に閉じ操作されてドア枠２と激しく衝突したとしても、牽制アーム１１はアーム軸２５で吊持され、しかもロックブロック３１で位置保持してあるので、運動慣性力によって牽制アーム１１が起立揺動することはなく、全開位置に位置保持される。したがって、使用者が室外に締め出されるのを確実に防止できる。仮に、牽制アーム１１が上向きに揺動したとしても、ロックばね３２の付勢力によって復帰方向へ押し戻され、さらに牽制アーム１１自体の重力が加わるので、牽制アーム１１が半開姿勢に切り換わることはない。
【００３４】
全開位置から牽制アーム１１を起立操作すると、カム面３５がロックブロック３１の上壁３１ｂに接当し、ロックばね３２に抗してロックブロック３１を押し下げる。カム面３５の先端が丸められた隅部分を乗り越えると、ロックブロック３１はロックばね３２で押し上げられて再びロック姿勢に戻り、その前壁３１ａでストッパー面３４を受け止めて、図５および図６に示すように、牽制アーム１１を半開位置に位置保持する。この状態でドア１を開き操作すると、スライド溝２１と掛止ピン１２とは相対的にスライドし互いに係合できる。しかし、スライド溝２１の内面奥端が掛止ピン１２のピン軸４４で受け止められると、それ以上ドア１を開放操作できないので、ドア１の開放量を半開位置までに規制することができる。
【００３５】
ドア１が開放揺動するとき、その先端は円弧軌跡にそって移動する。そのため、円弧軌跡の左右方向の移動成分の分だけ、アームブラケット１０は掛止ピン１２に対して遠ざかる。しかし、牽制アーム１１がアームピン２６で左右傾動可能に支持してあるので、ドア１が開放揺動するのに伴って、牽制アーム１１は図７に示すようにアームピン２６の回りに傾動変位して先の左右方向の移動成分を吸収する。したがって、牽制アーム１１のスライド溝２１と掛止ピン１２とがこじれるのを防止して、ドア１の開放操作を円滑に行える。
【００３６】
上記のように、ドア１を半開放した状態では、ドア１とドア枠２の隙間から手を差し込んで操作つまみ４０をロック解除方向へ押し下げ操作できる。しかし、ドア１を閉じない限りは、牽制アーム１１を全開位置へ復帰揺動できないので、ドアガードの開放規制機能が不正に解除されることはない。また、紐を用いて牽制アーム１１を収納位置側へ操作しようとしても、ドア１を閉じた状態でロックブロック３１を室外からロック解除操作することはできないので、牽制アーム１１を全開位置へ戻すことはできない。
【００３７】
ドア１を閉じた状態で牽制アーム１１を半開位置からさらに起立操作すると、牽制アーム１１は図８に示すように全開位置から１８０度反転した姿勢になり、アームロック機構で位置保持される。このように牽制アーム１１を錠止位置に切り換えた状態では、係脱部２３の一側に設けた規制壁２４が、掛止ピン１２より室内側に位置して、掛止ピン１２が係脱部２３から出入りするのを規制する。そのため、ドア１を開き操作すると、ピン頭部４５が規制壁２４に受け止められるので、それ以上開放することはできず、したがって、ドアガードを補助錠として機能させることができる。
【００３８】
上記のように、ピン頭部４５が規制壁２４に接当した状態においては、図８に示すように三角形のピン頭部４５のうち、アーム軸２５の軸中心より下方に位置する底辺側の頂部が規制壁２４と接当する。そのため、牽制アーム１１は、図８において時計回転方向のモーメントを受けて、ドア１の面壁側へ傾動し自己ロック機能を発揮できるので、牽制アーム１１が全開位置へ傾倒されるのを確実に防止して、防犯効果を向上できる。全開位置と半開位置、および錠止位置とで、牽制アーム１１の姿勢が起立姿勢と、上下に反転した姿勢になるので、ドアガードの現在の状態を明確に知ることができ、勘違いによるドア１の全開放を確実に防止できる利点もある。
【００３９】
図９および図１０は、ドアガードの別の実施例を示す。そこでは、牽制アーム１１をプラスチック成形されるＵ字枠状の化粧枠１１Ａと、化粧枠１１Ａの対向枠面に設けた装填溝５１に差し込み装填される構造枠１１Ｂとで構成して、牽制アーム１１の構造強度を向上しながら製造コストを削減できるようにした。化粧枠１１Ａを補強する構造枠１１Ｂは、ステンレス製のプレス成形品からなる。
【００４０】
この実施例におけるアームロック機構は、上記の実施例におけるアームロック機構に比べて構造が簡単なクリック機構で構成する。図９に示すように、連結ボス３７をアーム軸２５で回転自在に軸支し、軸受１６と連結ボス３７との接合面に、クリック凹部５３と、鋼球５４と、鋼球５４を押し出し付勢する圧縮コイル形のばね５５とからなるクリック機構を配置する。
【００４１】
クリック凹部５３は軸受１６の接合面の３個所、詳しくは、図１０に示すように時計の文字盤における１２時と、３時と、６時の位置にそれぞれ形成する。鋼球５４およびばね５５は、連結ボス３７の接合面に形成したばね穴５６に収容してあって、先のクリック凹部５３に鋼球５４が落ち込むことにより、牽制アーム１１を全開位置と、半開位置と、錠止位置の各位置に位置保持する。この実施例のドアガードも、先の実施例で説明した自己ロック機能を同様に発揮できる。他は先の実施例と同じであるので、同じ部材に同じ符号を付してその説明を省略する。
【００４２】
ロックブロック３１はプラスチック成形品で形成することができ、その操作体４０はレバー状や棒状などに形状変更できる。牽制アーム１１は部分円弧状に形成することができ、その場合には、連結ボス３７とアームピン２６を省略して、牽制アーム１１をアーム軸２５で直接軸支することができる。掛止ピン１２のピン頭部４５の形状は三角形である必要はなく、円形、半円形、台形などに変更できる。
【図面の簡単な説明】
【００４３】
【図１】ドアガードの正面図である。
【図２】ドアガードの配置例を示すドアの正面図である。
【図３】ドアガードの斜視図である。
【図４】牽制アームを半開位置に起立したドアガードの縦断正面図である。
【図５】図４におけるＡ−Ａ線断面図である。
【図６】図４におけるＢ−Ｂ線断面図である。
【図７】半開状態のドアガードを示す一部破断平面図である。
【図８】錠止位置に起立した牽制アームの一部破断側面図である。
【図９】別の実施例に係る牽制アームの縦断側面図である。
【図１０】図９におけるＣ−Ｃ線断面図である。
【符号の説明】
【００４４】
１  ドア
２  ドア枠
１０  アームブラケット
１１  牽制アーム
１２  掛止ピン
１３  ピン台
２１  スライド溝
２３  係脱部
２４  規制壁
２５  アーム軸
２６  アームピン
【図１】
2006125078.tif 000003
【図２】
2006125078.tif 000004
【図３】
2006125078.tif 000005
【図４】
2006125078.tif 000006
【図５】
2006125078.tif 000007
【図６】
2006125078.tif 000008
【図７】
2006125078.tif 000009
【図８】
2006125078.tif 000010
【図９】
2006125078.tif 000011
【図１０】
2006125078.tif 000012